(57)【要約】【課題】フルオートカメラとマニュアルカメラのデメリットを共に解消する。【解決手段】撮影シーンを判定したならば、判定した撮影シーンに対応するオートパラメータを設定するとともに、この設定したオートパラメータに従って各部を制御する（ステップＳ３）。また、ステップＳ２で判定した撮影シーンに対応するマニュアル設定用のタグをスルー画像上に重畳表示する（ステップＳ５）。いずれかのタグに対するタッチが検出されたか否かを判断する（ステップＳ９）。タッチが検出されたならば、ステップＳ３でＲＡＭに保存されたオートパラメータにおける、タッチされたタグに対応するマニュアルパラメータを１段階変化させて更新する（ステップＳ１３）。シャッターキーが操作されたならば、本撮影処理を実行し、ステップＳ１３でＲＡＭに更新記憶されているパラメータで撮影処理し、保存メモリに記録する（ステップＳ２３）。【選択図】      図３
2011050107.tif 000002
【特許請求の範囲】
【請求項１】
撮影する撮影手段と、
撮影シーンに対応した撮影条件を設定させるために、前記撮影シーンに対応した撮影条件と対応して当該撮影条件で撮影された場合の被写体像の特性を表記した指標を記憶する第１の記憶手段と、
前記撮影手段によって撮影される被写体像に基づき、撮影シーンを判定する撮影シーン判定手段と、
この撮影シーン判定手段により判定された撮影シーンに基づいて、前記第１の記憶手段に記憶されている指標を表示する表示手段と、
この表示手段によって表示された指標に対するユーザの指定操作に応じて、撮影条件を設定する設定手段と、
この設定手段によって設定された撮影条件に従って前記撮影手段による撮影をおこなう制御手段と
を備えることを特徴とするカメラ。
【請求項２】
前記判定手段により判定された撮影シーンに応じて複数種の撮影条件を設定するオート設定手段を更に備えることを特徴とする請求項１記載のカメラ。
【請求項３】
前記設定手段は、前記オート設定手段より設定された複数種の撮影条件のうち、前記指標に対応する撮影条件を、前記指定操作に応じて変更して再設定することを特徴とする請求項２記載のカメラ。
【請求項４】
前記設定手段は、前記撮影条件を、前記指定操作に応じて段階的に変更して再設定することを特徴とする請求項１〜３の何れかに記載の撮像装置。
【請求項５】
前記表示手段は、前記オート設定手段により設定された複数種の撮影条件で撮影した場合の被写体像を、前記指標とともに表示することを特徴とする請求項２記載のカメラ。
【請求項６】
前記設定手段による設定前の撮影条件に従って撮影した場合の被写体像と、前記設定手段による設定後の撮影条件に従って撮影した場合の被写体像とを前記表示手段に表示するよう制御する表示制御手段を更に備えることを特徴とする請求項１〜５の何れかに記載のカメラ。
【請求項７】
前記設定手段による設定前の撮影条件に従って撮影した場合の被写体像と、前記設定手段による設定後の撮影条件に従って撮影した場合の被写体像とを画像処理によって生成する生成手段を備え、
前記表示手段は、前記画像処理手段によって生成された被写体像を表示することを特徴とする請求項６記載のカメラ。
【請求項８】
前記表示手段は、前記被写体像にリンクさせた表示形態で、前記指標を表示させることを特徴とする請求項１〜７の何れかに記載のカメラ。
【請求項９】
特定の人物の特徴を記憶した第２の記憶手段を更に備え、
前記撮影シーン判定手段は、前記被写体像が前記第２の記憶手段に記憶された特定の人物か否かに基づいて撮影シーンを判定することを特徴とする請求項１〜８の何れかに記載のカメラ。
【請求項１０】
カメラが有するコンピュータに、
撮影シーンに対応した撮影条件を設定させるために、前記撮影シーンに対応した撮影条件と対応して当該撮影条件で撮影された場合の被写体像の特性を表記した指標を記憶する第１の記憶手段、
前記撮影手段によって撮影される被写体像に基づき、撮影シーンを判定する撮影シーン判定手段、
この撮影シーン判定手段により判定された撮影シーンに基づいて、前記第１の記憶手段に記憶されている指標を表示する表示手段、
この表示手段によって表示された指標に対するユーザの指定操作に応じて、撮影条件を設定する設定手段、
この設定手段によって設定された撮影条件に従って前記撮影手段による撮影をおこなう制御手段
としての機能を実行させることを特徴とするプログラム。
【請求項１１】
撮影手段を備えるとともに撮影シーンに対応した撮影条件を設定させるために、前記撮影シーンに対応した撮影条件と対応して当該撮影条件で撮影された場合の被写体像の特性を表記した指標を記憶したカメラの撮影方法であって、
前記撮影手段によって撮影される被写体像に基づき、撮影シーンを判定する撮影シーン判定ステップと、
この撮影シーン判定ステップにより判定された撮影シーンに基づいて、前記指標を表示する表示ステップと、
この表示ステップによって表示された指標に対するユーザの指定操作に応じて、撮影条件を設定する設定ステップと、
この設定ステップによって設定された撮影条件に従って前記撮影手段による撮影をおこなう制御ステップと
を備えることを特徴とする撮影方法。
【発明の詳細な説明】
【技術分野】
【０００１】
本発明は、マニュアル設定された撮影条件で撮影を行うカメラ、カメラ制御プログラム及び撮影方法に関するものである。
【背景技術】
【０００２】
従来、撮影条件をオート設定して撮影を行う所謂フルオートカメラが提案されている。このフルオートカメラは、撮像素子から得られる被写体像に基づいて撮影シーンを判定し、この判定した撮影シーンに応じて当該カメラの撮影条件（撮影モード）を自動的に設定する。したがって、ユーザは撮影条件の設定操作に煩わされることなく、撮影シーンに応じた適切な撮影条件で撮影、記録を行うことができる（例えば、特許文献１参照。）。
【先行技術文献】
【特許文献】
【０００３】
【特許文献１】特開２００８−１１２８９号公報
【発明の概要】
【発明が解決しようとする課題】
【０００４】
しかしながら、フルオートカメラにあっては、前述のようにユーザは撮影条件の設定操作に煩わされることなく、撮影シーンに応じた適切な撮影条件で撮影を行うことができる反面、撮影条件にユーザの意図が全く反映されない。したがって、記録された画像もユーザの意図が全く反映されていない特性となってしまうデメリットが生ずる。
一方、このフルオートカメラの対極のカメラとして、マニュアルカメラが存在する。マニュアルカメラにおいては、撮影条件が全てマニュアル設定されることから、撮影条件にユーザの意図が如実に反映される。したがって、記録された画像もユーザの意図が如実に反映された特性とすることもできる。しかし、マニュアルカメラにあっては、ユーザ自身が撮影シーンを判断して撮影条件を全てマニュアル設定しなければならないことから、記録された画像にユーザの意図が如実に反映できる反面、ユーザは撮影条件の設定操作に煩わされるデメリットが生ずる。
【０００５】
本発明は、かかる従来の課題に鑑みてなされたものであり、フルオートカメラとマニュアルカメラのデメリットを共に解消したカメラ、カメラ制御プログラム及び撮影方法を提供することを目的とする。
【課題を解決するための手段】
【０００６】
前記課題を解決するため請求項１記載の発明に係るカメラにあっては、撮影する撮影手段と、撮影シーンに対応した撮影条件を設定させるために、前記撮影シーンに対応した撮影条件と対応して当該撮影条件で撮影された場合の被写体像の特性を表記した指標を記憶する第１の記憶手段と、前記撮影手段によって撮影される被写体像に基づき、撮影シーンを判定する撮影シーン判定手段と、この撮影シーン判定手段により判定された撮影シーンに基づいて、前記第１の記憶手段に記憶されている指標を表示する表示手段と、この表示手段によって表示された指標に対するユーザの指定操作に応じて、撮影条件を設定する設定手段と、この設定手段によって設定された撮影条件に従って前記撮影手段による撮影をおこなう制御手段と、を備えることを特徴とする。
【０００７】
また、請求項２記載の発明に係るカメラにあっては、前記判定手段により判定された撮影シーンに応じて複数種の撮影条件を設定するオート設定手段を更に備えることを特徴とする。
【０００８】
また、請求項３記載の発明に係るカメラにあっては、前記設定手段は、前記オート設定手段より設定された複数種の撮影条件のうち、前記指標に対応する撮影条件を、前記指定操作に応じて変更して再設定することを特徴とすることを特徴とする。
【０００９】
また、請求項４記載の発明に係るカメラにあっては、前記設定手段は、前記撮影条件を、前記指定操作に応じて段階的に変更して再設定することを特徴とする。
【００１０】
また、請求項５記載の発明に係るカメラにあっては、前記表示手段は、前記オート設定手段により設定された複数種の撮影条件で撮影した場合の被写体像を、前記指標とともに表示することを特徴とする。
【００１１】
また、請求項６記載の発明に係るカメラにあっては、前記設定手段による設定前の撮影条件に従って撮影した場合の被写体像と、前記設定手段による設定後の撮影条件に従って撮影した場合の被写体像とを前記表示手段に表示するよう制御する表示制御手段を更に備えることを特徴とする。
【００１２】
また、請求項７記載の発明に係るカメラにあっては、前記設定手段による設定前の撮影条件に従って撮影した場合の被写体像と、前記設定手段による設定後の撮影条件に従って撮影した場合の被写体像とを画像処理によって生成する生成手段を備え、
前記表示手段は、前記画像処理手段によって生成された被写体像を表示することを特徴とする。
【００１３】
また、請求項８記載の発明に係るカメラにあっては、前記表示手段は、前記被写体像にリンクさせた表示形態で、前記指標を表示させることを特徴とする。
【００１４】
また、請求項９記載の発明に係るカメラにあっては、特定の人物の特徴を記憶した第２の記憶手段を更に備え、
前記撮影シーン判定手段は、前記被写体像が前記第２の記憶手段に記憶された特定の人物か否かに基づいて撮影シーンを判定することを特徴とする。
【００１５】
また、請求項１０記載の発明に係るカメラ制御プログラムにあっては、撮影シーンに対応した撮影条件を設定させるために、前記撮影シーンに対応した撮影条件と対応して当該撮影条件で撮影された場合の被写体像の特性を表記した指標を記憶する第１の記憶手段、
前記撮影手段によって撮影される被写体像に基づき、撮影シーンを判定する撮影シーン判定手段、
この撮影シーン判定手段により判定された撮影シーンに基づいて、前記第１の記憶手段に記憶されている指標を表示する表示手段、
この表示手段によって表示された指標に対するユーザの指定操作に応じて、撮影条件を設定する設定手段、
この設定手段によって設定された撮影条件に従って前記撮影手段による撮影をおこなう制御手段
としての機能を実行させることを特徴とする。
【００１６】
また、請求項１１記載の発明に係る撮影方法にあっては、撮影手段を備えるとともに撮影シーンに対応した撮影条件を設定させるために、前記撮影シーンに対応した撮影条件と対応して当該撮影条件で撮影された場合の被写体像の特性を表記した指標を記憶したカメラの撮影方法であって、
前記撮影手段によって撮影される被写体像に基づき、撮影シーンを判定する撮影シーン判定ステップと、
この撮影シーン判定ステップにより判定された撮影シーンに基づいて、前記指標を表示する表示ステップと、
この表示ステップによって表示された指標に対するユーザの指定操作に応じて、撮影条件を設定する設定ステップと、
この設定ステップによって設定された撮影条件に従って前記撮影手段による撮影をおこなう制御ステップと
を備えることを特徴とする。
【発明の効果】
【００１７】
本発明によれば、フルオートカメラとマニュアルカメラのデメリットを共に解消することができ、ユーザが撮影条件の設定操作に煩わされる不都合を解消しつつ、ユーザの意図を撮影条件に反映させることができるという利点がある。
【図面の簡単な説明】
【００１８】
【図１】本発明の一実施の形態に係るデジタルカメラの電子回路構成を示す図である。
【図２】撮影シーン対応テーブルを示す概念図である。
【図３】同実施の形態の処理手順を示すフローチャートである。
【図４】同実施の形態の表示遷移図である。
【発明を実施するための形態】
【００１９】
以下、本発明の一実施の形態を図に従って説明する。図１は、本発明の一実施の形態にかかるデジタルカメラ１の電子回路構成を示す図である。このデジタルカメラ１は、基本モードである撮影モードにおいて、ズームレンズ１２−１を移動させて光学ズーム動作を行わせるズーム駆動部１１−１、フォーカスレンズ１２−２を移動させて合焦動作を行わせるＡＦ駆動部１１−２、ズームレンズ１２−１及びフォーカスレンズ１２−２を含む撮像レンズを構成するレンズ光学系１２、このレンズ光学系１２の光軸上に配置された絞り３２、この絞り３２を駆動する絞り駆動部３３、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１を備えていている。また、制御部２２、ＶＲＡＭコントローラ２３、ＶＲＡＭ２４、デジタルビデオエンコーダ２５、表示部２６、ＪＰＥＧ（Joint Photograph cording Experts Group）回路２７、保存メモリ２８を備えているとともに、データベース２９及びキー入力部３０を備えている。
【００２０】
撮影モードでのモニタリング状態においては、ズーム駆動部１１−１は、光学ズーム指示があると制御部２２からの制御信号に基づいて、図示しないズームレンズ駆動モータを駆動してズームレンズ１２−１を光軸に沿って前後に移動させることによりＣＣＤ１３に結像させる画像の倍率そのものを変化させる。また、ＡＦ駆動部１１−２は図示しないフォーカスレンズ駆動モータを駆動してフォーカスレンズ１２−２を移動させる。そして、前記撮像レンズ２を構成するレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１フレーム分出力する。
【００２１】
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００２２】
この光電変換出力は、アナログ値の信号の状態でＲＧＢの原色成分毎に適宜ゲイン調整された後に、サンプルホールド回路（Ｓ／Ｈ）１６でサンプルホールドされ、Ａ／Ｄ変換器１７でデジタルデータ（画素）に変換され、カラープロセス回路１８で画素補間処理及びγ補正処理を含むカラープロセス処理が行われて、デジタル値の輝度信号Ｙ及び色差信号Ｃｂ、Ｃｒが生成され、ＤＭＡ（Direct Memory Access）コントローラ１９に出力される。
【００２３】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いてＤＲＡＭインターフェイス（Ｉ／Ｆ）２０を介してバッファメモリとして使用されるＤＲＡＭ２１にＤＭＡ転送する。
【００２４】
制御部２２は、このデジタルカメラ１全体の制御動作を司るものであり、ＣＰＵ若しくはＭＰＵ（以下、ＣＰＵ）と、後述するフローチャートに示す処理を実行するためのプログラム等を記憶したフラッシュメモリ等のプログラム格納メモリ、及びワークメモリとして使用されるＲＡＭ等により構成される。そして、前記輝度及び色差信号のＤＲＡＭ２１へのＤＭＡ転送終了後に、この輝度及び色差信号を、ＤＲＡＭインターフェイス２０を介してＤＲＡＭ２１から読み出し、ＶＲＡＭコントローラ２３を介してＶＲＡＭ２４に書込む。
【００２５】
また、制御部２２は、キー入力部３０からの状態信号に対応してフラッシュメモリ等のプログラム格納用メモリに格納されている各モードに対応の処理プログラムやメニューデータを取り出して、デジタルカメラ１の各機能の実行制御、具体的には撮影動作や、光学ズーム時のズームレンズの動作制御や、スルー画像表示、自動合焦、撮影、記録、及び記録した画像の再生・表示等の実行制御等や機能選択時の機能選択メニューの表示制御、設定画面の表示制御等を行う。
【００２６】
デジタルビデオエンコーダ２５は、前記輝度及び色差信号を、ＶＲＡＭコントローラ２３を介してＶＲＡＭ２４から定期的に読み出し、これらのデータを基にビデオ信号を生成して前記表示部２６に出力する。表示部２６は、撮影モード時にはモニタ表示部（電子ファインダ）として機能するもので、デジタルビデオエンコーダ２５からのビデオ信号に基づいた表示を行うことで、その時点でＶＲＡＭコントローラ２３から取り込んでいる画像情報に基づくスルー画像をリアルタイムに表示する。
【００２７】
また、制御部２２は撮影指示に応じて、本撮影処理を実行する。この本撮影処理においては、制御部２２は、シャッターキーの操作をトリガとして、ＣＣＤ１３、垂直ドライバ１５、サンプルホールド回路１６、カラープロセス回路１８、ＤＭＡコントローラ１９に対してスルー画撮影モードから静止画撮影モードへの切り替えを指示し、この静止画撮影モードによる撮影処理により得られた画像データをＳＤＲＡＭ２１に一時記憶する。
【００２８】
この保存記録の状態では、制御部２２がＤＲＡＭ２１に書き込まれている１フレーム分の輝度及び色差信号を、ＤＲＡＭインターフェイス２０を介してＹ、Ｃｂ、Ｃｒのコンポーネント毎に縦８画素×横８画素の基本ブロックと呼称される単位で読み出してＪＰＥＧ回路２７に書き込み、このＪＰＥＧ回路２７でＡＤＣＴ（Adaptive Discrete Cosine Transform：適応離散コサイン変換）、エントロピー符号化方式であるハフマン符号化等の処理によりデータ圧縮する。そして得た符号データを１画像のデータファイルとしてＪＰＥＧ回路２７から読み出し、保存メモリ２８に記録保存する。また、１フレーム分の輝度及び色差信号の圧縮処理及び保存メモリ２８への全圧縮データの書き込み終了に伴って、制御部２２は前記静止画撮影モードからスルー画撮影モードへの切り替えを指示する。
【００２９】
また、基本モードである再生モード時には、制御部２２が保存メモリ２８に記録されている画像データを選択的に読み出し、ＪＰＥＧ回路２７で撮影モード時にデータ圧縮した手順と全く逆の手順で圧縮されている画像データを伸張し、伸張した画像データを、ＶＲＡＭコントローラ２３を介してＶＲＡＭ２４に展開して記憶させた上で、このＶＲＡＭ２４から定期的に読み出し、これらの画像データを元にビデオ信号を生成して表示部２６で再生出力させる。
【００３０】
また、表示部２６には、透明のタッチパネル３１が積層されており、タッチパネル３１はタッチ位置を検出して制御部２２に入力する。
【００３１】
なお、後述のオート設定パラメータにおける「フォーカス制御」は、ＡＦ駆動部１１−２がフォーカスレンズ１２−２を駆動する制御であり、「絞り」は絞り駆動部３３が絞り３２を駆動する制御である。また、「ＥＶシフト量」は、絞り３２とシャッター速度との組み合わせに応じて，露出する光量をあらわす値の変化値であり、「感度」はＣＣＤ１３に対するゲインアップにより感度を上げる処理であり、シャッター速度は前記ＣＣＤ１３の電荷蓄積時間である。
【００３２】
前記ＪＰＥＧ回路２７は複数の圧縮率に対応しており、圧縮率に対応させて記憶するモードには圧縮率の低い高解像度（一般に、高精細、ファイン、ノーマルなどと呼ばれる）に対応するモードと圧縮率の高い低解像度（一般にエコノミーなどと呼ばれる）モードがある。また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）、ＱＶＧＡ（３２０×２４０）等と呼ばれる記録画素サイズがある。
【００３３】
保存メモリ２８は、内蔵メモリ（フラッシュメモリ）やハードディスク、あるいは着脱可能なメモリカード等の記録媒体からなり画像データや撮影情報等を保存記録する。
【００３４】
データベース２９は、個人Ａ，Ｂ，Ｃ等の顔認識データや画質パラメータ等からなる顔認識レコードを複数記憶してなる顔認識テーブルや照合用画像データを格納してなる。データベース２９は、ユーザのキー入力操作によって新規登録、調整、又は削除等の更新が可能である。
【００３５】
キー入力部３０は、モードダイアル、カーソルキー、ＳＥＴキー、ズームボタン（Ｗボタン、Ｔボタン）、シャッターキー、クリアキー及び電源ボタン等と、それらのキーが操作されると操作されたキーの操作信号を生成して制御部２２に送出するキー処理部（図示せず）等から構成されている。
【００３６】
図２は、本実施の形態において制御部２２内のＲＯＭに格納されている撮影シーン対応テーブル２２１を示す図である。この撮影シーン対応テーブル２２１は、「撮影シーン」に対応して、「表示タグ」、「マニュアル設定パラメータ（マニュアルパラメータ）」、「オート設定パラメータ（オートパラメータ）」が記憶されている。「オート設定パラメータ（オートパラメータ）」としては、当該パラメータのある値が記憶されており、「マニュアル設定パラメータ（マニュアルパラメータ）」としては、当該パラメータの値を１段階変化させる補正値、つまり±αの値が記憶されている。
【００３７】
なお、図２のマニュアル設定パラメータとオート設定パラメータは、あくまでも前記本撮影時（静止画撮影モード）用のパラメータであって、スルー画撮影モード時には、本撮影時用のパラメータを擬似的に画像処理（ソフト処理）で実現することになる。したがって、撮影シーン対応テーブル２２１には、図示しないが各種パラメータに対応して、画像処理ソフトが記憶されており、この対応する画像処理ソフトを用いて、スルー画像を画像処理し、擬似的に当該パラメータで本撮影した場合の特性を有するスルー画像を生成する。より具体的には、例えばパラメータ「シャッター速度」である場合には、シャッター速度が遅くなるに従って、画像処理によりスルー画像の明るさを高める画像処理が実行されることとなる。
【００３８】
前記「撮影シーン」は、「人（男性）」、「人（女性）」・・・「夜景」等の後述する処理により判定された撮影シーンである。「表示タグ」は、判定された撮影シーンにおいて撮影条件をマニュアル設定することのできる設定メニューの名称であり、「カッコよく」、「シブく」、「かわいらしく」のように、対応する撮影条件で撮影された場合の画像の特性を感覚的に表記したものが含まれている。
【００３９】
「マニュアル設定パラメータ」は、これら設定メニューが撮影者により選択あるいは指定された際に設定される撮影条件であって、例えば設定メニュー「カッコよく」が選択あるいは指定された場合には「フォーカス制御」がマニュアル設定されることを示し、「シブく」が選択あるいは指定された場合には「絞り」がマニュアル設定されること等を示す。前記「オート設定パラメータ」は、判定された撮影シーンにおいて自動的に設定される撮影条件であって、「フォーカス制御」、「シャッター速度」、「絞り」、「ＥＶシフト量」、「感度」・・・等の値が撮影シーン毎に記憶されている。
【００４０】
以上の構成に係る本実施の形態において、ユーザが顔登録モードを設定して登録すべき人物、例えば人物を予め撮影すると、制御部２２は、登録処理を実行する。この登録処理により、撮影された被写体人物における顔の特徴を検出し、検出した顔の特徴データと撮影された顔画像等からなる顔認識用データをデータベース２９に格納する。したがって、データベース２９には、予め顔登録モードにおいて撮影された人物の顔認識用データが登録されている。
【００４１】
そして、ユーザが撮影を行うべく、キー入力部３０のモードダイアルを操作することにより、撮影モードを設定し、かつ「選べるオートモード」を選択すると、制御部２２は、プログラムに従って図３のフローチャートに示すように処理を実行する。まず、表示部２６にて前記スルー画像の表示を開始する（ステップＳ１）。次に、このスルー画像の表示に伴って、順次ＤＲＡＭ２１に転送されてくる１フレーム分の画像に基づき、撮影シーンを判定する（ステップＳ２）。
【００４２】
この撮影シーンの判定は、例えば特開平２００８−１１２８９号公報に開示されているように、前記撮影シーン対応テーブル２２１に記憶されている各「撮影シーン」それぞれについて色相データと彩度データとの色相−彩度座標上における分布をＲＯＭに記憶しておき、前記ＤＲＡＭ２１内の画像についての色相データと彩度データの分布を前記各「撮影シーン」についての分布と比較することにより、当該撮影画像（ＤＲＡＭ２１内の画像）がいずれの「撮影シーン」に該当するかにより判定する。
【００４３】
そして、このようにして撮影シーンを判定したならば、判定した撮影シーンに対応するオートパラメータを撮影シーン対応テーブル２２１から読み出して、制御部２２内のＲＡＭに記憶する（ステップＳ３）。したがって、撮影シーンに対応するオートパラメータは制御部２２内のＲＡＭに保存された状態となる。
【００４４】
次に、前記ステップＳ３での判定結果に基づき、画像中に人物が存在するか否かを判断する（ステップＳ４）。このステップＳ４での判断の結果、人物が存在しない場合、つまり人物が存在しない撮影シーンである場合には、前記ステップＳ２で判定した撮影シーンに対応する表示タグを撮影シーン対応テーブル２２１から読み出して、スルー画像上に重畳表示する（ステップＳ５）。したがって、ステップＳ２で撮影シーンが「花」であったとすると、先ず撮影シーン対応テーブル２２１から撮影シーン「花」対応する表示タグ「鮮やかに」、「幻想的に」、「しっとりと」が読み出される。そして、図４（ａ）に示すように、これら読み出された表示タグがスルー画像上に重畳表示される。これらタグの表示は、例えば表示部２６の隅部等に配列して表示する。
【００４５】
また、ステップＳ４での判断の結果、人物が存在する撮影シーンである場合には、当該人物が登録人物であるか否かを判断する（ステップＳ６）。すなわち、前記ＤＲＡＭ２１内の１フレーム分の画像から顔を検出して、顔の特徴データを抽出する。顔が複数あった場合、つまり１フレーム内に複数の顔が写っている場合は複数の人物の顔をそれぞれ検出し、それぞれの顔の特徴データを抽出する。そして、この抽出した特徴データとデータベース２９に格納されている特徴データと比較して類似度を判定し、検出された顔がデータベース２９に登録されている顔であるか否かを判断する。
【００４６】
データベース２９に登録されている顔がある場合（登録人物が存在する場合）には、前記ステップＳ２で判定した撮影シーンに対応する表示タグを撮影シーン対応テーブル２２１から読み出して、登録人物にリンクさせてスルー画像上に重畳表示する処理を開始する（ステップＳ７）。したがって、ステップＳ２で撮影シーンが「子供」であったとすると、先ず撮影シーン対応テーブル２２１から撮影シーン「子供」に対応する表示タグ「かわいらしく」、「ほのぼの」が読み出される。そして、図４（ｂ）に示すように、これら読み出された表示タグ２６５、２６６がスルー画像２６４上に重畳表示される。また、このスルー画像２６４において、人物Ａ，Ｂ，Ｃの内、人物Ｂが登録人物であったとすると、前記タグ２６５、２６６が各々引き出し線２６７を介して、登録人物Ｂにリンクされた状態で表示される。
【００４７】
したがって、ユーザがスルー画像２６４とともに、これらタグ２６５、２６６を視認することにより、マニュアル設定に不慣れな撮影初心者であってもリンクされた登録人物Ｂをより「かわいらしく」撮影するマニュアル設定が可能であること、より「ほのぼの」と撮影するマニュアル設定が可能であることを認識ことができる。
【００４８】
また、ステップＳ６での判断の結果、登録人物が存在しない場合には、前記ステップＳ２で判定した撮影シーンに対応する表示タグを撮影シーン対応テーブル２２１から読み出し、画面中央の人物にリンクさせてスルー画像上に重畳表示する処理を開始する（ステップＳ８）。したがって、ステップＳ２で撮影シーンが「子供」であったとすると、先ず撮影シーン対応テーブル２２１から撮影シーン「子供」に対応する表示タグ「かわいらしく」、「ほのぼの」が読み出される。そして、図４（ｂ）に示すように、これら読み出された表示タグ２６５、２６６がスルー画像２６４上に重畳表示される。また、このスルー画像２６４において、人物Ａ，Ｂ，Ｃの内、登録人物Ｂが中央の人物であるから、前記タグ２６５、２６６が各々引き出し線２６７を介して、登録人物Ｂにリンクされた状態で表示される。
【００４９】
なお、このフローチャートにおいては、ステップＳ４の判断がＮＯであって、スルー画像中に人物が存在しない場合には、引き出し線２６７によりリンクさせることなくタグを表示するようにしたが、この場合にも図４（ａ）に示すように当該撮影シーンにおける主要被写体（本例の場合「花」）に、引き出し線２６７によりリンクさせてタグ２６１、２６２、２６３を表示するようにしてもよい。これにより、撮影者がこれらタグ２６１、２６２、２６３を視認した際に、リンクされた主要被写体を「鮮やかに」撮影するマニュアル設定が可能であること等を認識することができる。
【００５０】
また、これらとは逆に、撮影シーンに拘わらずタグを特定の被写体とリンクさせず、単に表示部２６の側部等に配列して表示するようにしてもよい。あるいは、特定の被写体とリンクさせたタグと、リンクさせないタグとを表示し、リンクさせないタグに関しては、表示部２６の隅部に配列して表示するようにしてもよい。
【００５１】
そして、ステップＳ５、Ｓ７、Ｓ８のいずれかに続くステップＳ９においては、タッチパネル３１の走査結果に基づき、いずれかのタグに対するタッチが検出されたか否かを判断する（ステップＳ９）。タッチが検出されない場合には、Ｔフラッグ（タッチフラグ）がセットされているか否かを判断する（ステップＳ１９）。このＴフラグは、後述するステップＳ１１でタッチ後にセットされるフラグであることから、ユーザが未だいずれかのタグにもタッチしていない場合は、Ｔフラグ＝０の状態にある。したがって、この場合には、ステップＳ１９の判断がＹＥＳとなり、ステップＳ２０に進む。
【００５２】
そして、ステップＳ２０においては、画像ソフト処理により、前記画像処理ソフトを用いてスルー画像に対し、前記オートパラメータを擬似的に実現する画像処理を実行する。したがって、このステップＳ２０での処理により、擬似的にオートパラメータで本撮影した場合の特性を有するスルー画像（動画）が生成されることとなる。
【００５３】
そこで、前記オートパラメータを擬似的に実現する画像処理したスルー画像、つまり擬似的にではあるが撮影シーンに応じたフルオート撮影モードでの画像（以下、「フルオートスルー画像」という）を表示（ステップＳ２１）。したがって、このステップＳ２１での処理により、表示部２６にはフルオートスルー画像が表示される。
【００５４】
他方ステップＳ９でタッチが検出されたならば、後述するステップＳ１２でタッチ後にセット（＝１）されるＴフラグ（タッチフラグ）がリセット状態（＝０）であるか否かを判断する。Ｔフラグ＝０であって、撮影シーン判定後初めてのタッチである場合には、Ｔフラグをセット（＝１）する（ステップＳ１１）。
【００５５】
引き続き、表示部２６の画面を例えば左右に二分割する（ステップＳ１２）。そして、前記判定された撮影シーンであってタッチされたタグに対応するマニュアルパラメータを撮影シーン対応テーブル２２１にて特定し、前記ステップＳ３で制御部２２内のＲＡＭに保存されたオートパラメータにおける、タッチされたタグに対応するマニュアルパラメータを１段階変化させて記憶する（ステップＳ１３）。
【００５６】
したがって、制御部２２内のＲＡＭには、前記ステップＳ３で記憶されたオートパラメータと、ステップＳ１３で記憶された前記オートパラメータのタッチされたタグに対応するマニュアルパラメータを１段階変化させたパラメータであるパートマニュアルパラメータとが併存して記憶された状態となる。
【００５７】
このとき、タッチされたタグに対応するマニュアルパラメータが、既に前記ステップＳ３の処理で設定されたオートパラメータである場合には、ステップＳ３で設定されているパラメータの値を１段階変更し、オートパラメータでない場合には、新たなパラメータを設定、記憶することとなる。
【００５８】
そして、次の画像ソフト処理により、前記画像処理ソフトを用いてスルー画像に対し、前記オートパラメータを擬似的に実現する画像処理と、前記パートマニュアルパラメータを擬似的に実現する画像処理とをパラレルに実行する（ステップＳ１４）。したがって、このステップＳ１４での処理により、擬似的にオートパラメータで本撮影した場合の特性を有するスルー画像（動画）と、擬似的にパートマニュアルパラメータで本撮影した場合の特性を有するスルー画像（動画）とが生成されることとなる。
【００５９】
そこで、前記ステップＳ１３で二分割した画面において、左側には前記オートパラメータを擬似的に実現する画像処理したスルー画像、つまり擬似的にではあるが撮影シーンに応じたフルオート撮影モードでの画像（以下、「フルオートスルー画像」という）を表示し、右側には前記パートマニュアルパラメータを擬似的に実現する画像処理したスルー画像、つまり擬似的にではある一部マニュアル設定された画像（以下「パートマニュアルスルー画像」という）を表示する（ステップＳ１５）。したがって、このステップＳ１５での処理により、図４（ｃ）に示すように、表示部２６の左側にはフルオートスルー画像２６８が表示され、右側にはパートマニュアルスルー画像２６９が表示される。
【００６０】
よって、撮影者がこのフルオートスルー画像２６８とパートマニュアルスルー画像２６９とを見比べることにより、タグへのタッチによるマニュアル設定により画像がどのように変化するかを確認したり、学習することができる。
【００６１】
なお、前記パートマニュアルスルー画像２６９には、図示のように引き続きタグ２６５、２６６を表示させる。
【００６２】
次に、キー入力部３０のクリアキーが操作されたか否かを判断し（ステップＳ１６）、クリアキーが操作された場合には、Ｔフラグをリセットして（ステップＳ１７）、ステップＳ２に戻る。無論、Ｔフラグ＝０の状態にある場合には、ステップＳ１７をスキップしてステップＳ２に戻る。また、クリアキーが操作されない場合には、シャッターキーが操作されたか否かを判断し（ステップＳ１８）、シャッターキーが操作されない場合には、ステップＳ９に戻る。
【００６３】
このとき、前述のように、パートマニュアルスルー画像２６９には、タグ２６５、２６６が表示されていることから、タグ２６５、２６６にタッチすると、ステップＳ９の判断がＹＥＳとなる。しかし、前記ステップＳ１２での処理により、Ｔフラグ＝１となっていることから、ステップＳ１０の判断がＮＯとなって、ステップＳ１０からステップＳ１４に進む。そして、前述したステップＳ１４及びステップＳ１５の処理が実行されることにより、パートマニュアルスルー画像２６９の特性は、ユーザがタグにタッチする都度変化していく。つまり、オート設定パラメータが反映されたスルー画像（動画）と、マニュアル設定パラメータが逐次反映されたスルー画像（動画）とが表示されることになる。
【００６４】
このように特性が変化するパートマニュアルスルー画像２６９を確認した撮影者がシャッターキーを操作すると、ステップＳ１８からステップＳ２２に進み、Ｔフラグ＝１であるか否かを判断する。Ｔフラグ＝１である場合、つまりユーザが１度でもタグにタッチした後シャッターキーを操作した場合には、前記ステップＳ１３で制御部２２内のＲＡＭに保存されたパラメータを撮影条件として前述した本撮影処理を実行する（ステップＳ２３）。つまり、制御部２２は、シャッターキーの操作をトリガとして、スルー画撮影モードから静止画撮影モードへの切り替えを指示し、この静止画撮影モードにおいて前記ステップＳ１３で制御部２２のＲＡＭに更新記憶されているパラメータで撮影処理し、この撮影処理により得られた画像データをＳＤＲＡＭ２１に一時記憶した後、保存メモリ２８に記録する（ステップＳ１９）。
【００６５】
この保存メモリ２８に記録された撮影画像データにあっては、撮影条件がフルオート設定された後、その一部が撮影者の操作によってマニュアル設定されたものである。したがって、ユーザが撮影条件の設定操作に煩わされる不都合を解消しつつ、ユーザの意図を撮影条件に反映させたものとすることができる。
【００６６】
また、ステップＳ２２での判断の結果、Ｔフラグ＝０である場合、つまりユーザが１度もタグにタッチすることなく、シャッターキーを操作した場合には、前記ステップＳ３で制御部２２内のＲＡＭに保存されたオートパラメータを撮影条件として前述した本撮影処理を実行する（ステップＳ２４）。
【００６７】
この保存メモリ２８に記録された撮影画像データにあっては、撮影条件がフルオート設定されたものである。したがって、ユーザはタグにタッチせずにシャッターキーを操作することにより、フルオート撮影を行うこともできる。
【００６８】
なお、本実施の形態においては、判定した撮影シーンに応じてオートパラメータを設定するようにしたが、オートパラメータを設定することなく、つまりフルオート制御することなく、判定した撮影シーンに応じたタグを表示し、このタグに対するタッチに応じて撮影条件を設定するようにしてもよい。この場合であっても、表示されるタグは判定した撮影シーンに応じて絞り込まれていることから、その種類が限定される。よって、当該撮影シーンにおいては無意味な撮影条件の設定を行ってしまう不都合を未然に防止することができ、その結果、撮影条件の設定操作に煩わされる不都合を抑制することができる。
【００６９】
また、本実施の形態においては、タグに対するタッチ検出によりマニュアルパラメータを設定するようにしたが、表示部２６にタグとともにカーソルを表示し、キー入力部３０でのカーソルキー操作により所望のタグ上にカーソルを移動させた後、ＳＥＴキー操作によりそのタグを選択させて、この選択させたタグに応じたマニュアルパラメータを設定するようにしてもよい。
【００７０】
また、実施の形態においては、タグにタッチする都度、補正値（±α）より当該パラメータの値を１段階ずつ変化させることにより、操作回数に比例して補正値が変化するようにしたが、タッチ継続時間（操作継続時間）に比例して、補正値が変化するようにしてもよいし、タグに対する１回の操作で所定値からなるマニュアルパラメータを設定するようにしてもよい。
【００７１】
また、本撮影直後に撮影画像を表示し、この表示されている撮影画像に対してシーン判定を行い、このシーン判定結果に応じたタグを表示し、このタグに対するタッチによりマニュアル設定調整を行なえるようにし、つまりソフト的な画像処理により擬似的に、あるパラメータで本撮影した場合の特性を有する画像に変更して表示し、次の本撮影時にこのマニュアル設定が反映された撮影が行えるようにしてもよい。この場合、本撮影直後に表示される撮影画像は、オートパラメータのみが反映された画像、オートパラメータとマニュアルパラメータとが反映された画像、あるいはマニュアルパラメータのみが反映された画像のいずれかである。
【００７２】
また、実施の形態では、この発明をデジタルカメラに適用した場合を例にして説明しているが、デジタルカメラばかりでなく、光学系及び撮像素子を介して取り込んだ画像データを記録する機能を備えた装置、例えば、カメラ付携帯電話や撮像機能を備えた電子機器にも適用することができる。
【符号の説明】
【００７３】
１    デジタルカメラ
１２    レンズ光学系
１３    ＣＣＤ
１５    垂直ドライバ
１７    Ａ／Ｄ変換器
１８    カラープロセス回路
１９    ＤＭＡコントローラ
２１    ＤＲＡＭ
２２    制御部
２４    ＶＲＡＭ
２５    デジタルビデオエンコーダ
２６    表示部
２７    ＪＰＥＧ回路
２８    保存メモリ
２９    データベース
３０    キー入力部
３１    タッチパネル
２２１    撮影シーン対応テーブル
２６１    タグ
２６４    スルー画像
２６５    タグ
２６７    引き出し線
２６８    フルオートスルー画像
２６９    パートマニュアルスルー画像
【図１】
2011050107.tif 000003
【図２】
2011050107.tif 000004
【図３】
2011050107.tif 000005
【図４】
2011050107.tif 000006